(57)【要約】【課題】使用者が家電機器の進行状態を遠隔地で容易に認識及び制御できるようにした家電機器の遠隔モニタ装置を提供する。【解決手段】少なくとも一つの家電機器と所定の通信システムで連結されて、前記家電機器の状態を遠隔地で外部に表示するとともに、前記家電機器を制御するように構成され、下部ケースと、前記下部ケースの上部に分離自在に組み立てられ、露出窓を持つ上部ケースと、前記上部ケースの上部に分離自在に組み立てられ、前記露出窓と対応するディスプレイ窓を持つ外面ケースとからなって外観を形成するケースと、前記ケースに内蔵され、各種電子部品が実装された制御基板を有することを特徴とする家電機器の遠隔モニタ装置。【選択図】図３
2008520156.tif 000002
【特許請求の範囲】
【請求項１】
少なくとも一つの家電機器と所定の通信システムで連結されて、前記家電機器の状態を遠隔地で外部に表示するとともに、前記家電機器を制御するように構成され、
下部ケースと、前記下部ケースの上部に分離自在に組み立てられ、露出窓を持つ上部ケースとからなって外観を形成するケースと、
前記ケースに内蔵され、各種電子部品が実装された制御基板と、
を有することを特徴とする、家電機器の遠隔モニタ装置。
【請求項２】
前記制御基板は、前記家電機器とのデータ送受信のための通信モデム用基板と、前記通信モデム用基板の上部に実装または分離自在に備えられて前記家電機器の状態を外部に表示するディスプレイ用基板と、を有する、請求項１に記載の家電機器の遠隔モニタ装置。
【請求項３】
前記通信モデム用基板または前記ディスプレイ用基板のいずれかの一基板に雄端子ピンが備えられ、これに対応して残りのいずれかの基板に、前記雄端子ピンの差し込まれる雌端子ピンが備えられることを特徴とする、請求項２に記載の家電機器の遠隔モニタ装置。
【請求項４】
前記通信モデム用基板を貫通して前記ディスプレイ用基板を支持するための支持ピンが少なくとも一つ形成される、請求項２に記載の家電機器の遠隔モニタ装置。
【請求項５】
前記ディスプレイ用基板には、前記家電機器の進行過程及び行程エラーなどの状態情報を数字及び文字などの記号で外部に表示するＬＣＤセグメントが、ねじ結合方式またはフック結合方式で備えられる、請求項２に記載の家電機器の遠隔モニタ装置。
【請求項６】
前記通信システムは、電力線を介してデータを取り交わす電力線通信方式の通信システムである、請求項１に記載の家電機器の遠隔モニタ装置。
【請求項７】
前記上部ケースには下方に突出された締結ボスが形成され、前記下部ケースには前記締結ボスと対応する締結穴が形成され、
前記上部ケースと下部ケースは、締結部材が前記締結穴を通って前記締結ボスと結合されることによって同時に組み立てられる、請求項１に記載の家電機器の遠隔モニタ装置。
【請求項８】
前記締結ボスは、前記上部ケースの非露出面である下部面の各隅部に形成され、
前記締結穴は、前記締結ボスと対応する位置に形成される、請求項７に記載の家電機器の遠隔モニタ装置。
【請求項９】
前記締結部材は、前記締結ボスに形成された溝に自分でねじ山を作りながら結合される締結ねじである、請求項７に記載の家電機器の遠隔モニタ装置。
【請求項１０】
前記上部ケースには、金型による射出成形時に前記締結ボスが収縮するのを防止するための収縮防止溝が形成される、請求項７に記載の家電機器の遠隔モニタ装置。
【請求項１１】
前記収縮防止溝は、前記上部ケースの露出面である上部面に前記締結ボスと対応するリング状に形成される、請求項１０に記載の家電機器の遠隔モニタ装置。
【請求項１２】
前記上部ケースの露出面である上部面には、前記露出窓を通した内部透視が可能なように透視用シートが備えられ、
前記透視用シートの上部面には、前記上部ケースの露出窓と対応する透視窓を持つ保護用シートが備えられる、請求項１に記載の家電機器の遠隔モニタ装置。
【請求項１３】
前記透視用シートと前記保護用シートは、前記上部ケースの上部面と対応する大きさで形成される、請求項１２に記載の家電機器の遠隔モニタ装置。
【請求項１４】
前記透視用シートは、前記上部ケースの上部面に安着されるように備えられ、前記上部ケースの露出窓と対応する大きさで形成され、
前記保護用シートは、前記上部ケースの上部面と対応する大きさで形成される、請求項１２に記載の家電機器の遠隔モニタ装置。
【請求項１５】
前記透視用シートは、ＰＥＴ樹脂材質で形成される、請求項１２に記載の家電機器の遠隔モニタ装置。
【請求項１６】
前記保護用シートは、アルミニウムなどの軽金属材質で形成される、請求項１２に記載の家電機器の遠隔モニタ装置。
【請求項１７】
前記上部ケースの上部面には、前記保護用シートの縁部に残存するバリとの干渉を防止するための干渉防止溝が形成される、請求項１２に記載の家電機器の遠隔モニタ装置。
【請求項１８】
前記上部ケースにはボタン穴が形成され、
前記ボタン穴には、押下されて前記制御基板上に備えられたスイッチと接触した後、元の位置に復帰する作動ボタンが備えられる、請求項１に記載の家電機器の遠隔モニタ装置。
【請求項１９】
前記作動ボタンは、
前記ボタン穴を通過して前記上部ケースの上部面外側に露出される押し部と、
前記押し部の下部に一体に形成されて、前記ボタン穴周辺側の前記上部ケースの下部面に固定される設置部とを有する、請求項１８に記載の家電機器の遠隔モニタ装置。
【請求項２０】
前記設置部には、前記作動ボタンが復元力を持つように複数個の切開スロットからなる弾性リブが形成される、請求項１９に記載の家電機器の遠隔モニタ装置。
【請求項２１】
前記設置部の底面には、前記制御基板上に備えられたスイッチと接触する接触突起が形成される、請求項１９に記載の家電機器の遠隔モニタ装置。
【請求項２２】
前記設置部は、前記上部ケースの下部面に形成されたフックに係合される、請求項１９に記載の家電機器の遠隔モニタ装置。
【請求項２３】
前記設置部の周縁には、前記制御基板上に実装された電子部品との干渉が防止されるように干渉回避溝が形成される、請求項１９に記載の家電機器の遠隔モニタ装置。
【請求項２４】
前記干渉回避溝は、前記設置部周縁のうち、前記制御基板上に実装された電子部品と干渉される部位に形成され、前記周縁の両側に対称に形成される、請求項２３に記載の家電機器の遠隔モニタ装置。
【請求項２５】
前記ボタン穴の縁部には下方に突出された段差部が形成され、
前記作動ボタンには前記段差部と反対に突出形成されて、前記上部ケースの下部面に密着される逆段差部が形成される、請求項１８に記載の家電機器の遠隔モニタ装置。
【請求項２６】
前記段差部と前記逆段差部の突出した長さは同一である、請求項２５に記載の家電機器の遠隔モニタ装置。
【請求項２７】
前記上部ケースまたは前記下部ケースのいずれかのケースに型合突起が形成され、これに対応して残りの他のケースには前記型合突起の結合される型合溝が形成される、請求項１に記載の家電機器の遠隔モニタ装置。
【請求項２８】
前記型合突起と型合溝は、相互対応する各ケースの上・下周縁に沿って全周に形成される、請求項２７に記載の家電機器の遠隔モニタ装置。
【請求項２９】
前記型合溝の形成されたケースの周縁は、前記型合溝が形成されることから、前記型合突起の外側に位置する外縁部と内側に位置する内縁部からなる二重構造とされる、請求項２７に記載の家電機器の遠隔モニタ装置。
【請求項３０】
前記内縁部の突出長さと前記外縁部の突出長さは互いに異なる、請求項２９に記載の家電機器の遠隔モニタ装置。
【請求項３１】
前記内縁部の突出長さは、前記外縁部の突出長さよりも長い、請求項３０に記載の家電機器の遠隔モニタ装置。
【請求項３２】
前記型合溝には、前記型合突起との結合時に前記型合突起の両端隅部が圧着されるシーリング部が形成される、請求項２７に記載の家電機器の遠隔モニタ装置。
【請求項３３】
前記シーリング部は、前記型合突起の隅部に圧着される傾斜面である、請求項３２に記載の家電機器の遠隔モニタ装置。
【請求項３４】
前記上部ケースまたは前記下部ケースのいずれかのケースに型合フックが形成され、これに対応して残りの他のケースには前記型合フックの結合されるフック穴が形成される、請求項１に記載の家電機器の遠隔モニタ装置。
【請求項３５】
前記下部ケースの非露出面である上部面には、前記下部ケースの金型による射出成形時に、前記金型が前記型合フックと干渉することなく除去されるように導くスライド部が形成される、請求項３４に記載の家電機器の遠隔モニタ装置。
【請求項３６】
前記スライド部は、前記下部ケースの上部面外側部から前記型合フックの下部に位置する前記下部ケースの縁部内側面まで平坦に形成された面である、請求項３５に記載の家電機器の遠隔モニタ装置。
【請求項３７】
前記下部ケースには、前記制御基板が前記下部ケースの上部面から所定高さ隔たって安着されるようにすると同時に、前記制御基板の移動が防止されるようにするガイドリブが備えられる、請求項１に記載の家電機器の遠隔モニタ装置。
【請求項３８】
前記ガイドリブは、略“Ｌ”字状に形成される、請求項３６に記載の家電機器の遠隔モニタ装置。
【請求項３９】
前記上部ケースには、前記制御基板を支持するための上部支持ボスが少なくても一つ突出形成される、請求項１に記載の家電機器の遠隔モニタ装置。
【請求項４０】
前記下部ケースには、前記制御基板を支持するための下部支持ボスが少なくても一つ突出形成される、請求項１に記載の家電機器の遠隔モニタ装置。
【請求項４１】
前記ケースを前記遠隔地の壁等に固定するための固定手段がさらに備えられる、請求項１に記載の家電機器の遠隔モニタ装置。
【請求項４２】
前記固定手段は、前記ケースのうち、下部ケースの露出面である下部面から外側に突出形成された装着部と、前記遠隔地の壁等に設置されて前記装着部が結合されるハンガーとを有する、請求項４１に記載の家電機器の遠隔モニタ装置。
【請求項４３】
前記装着部または前記ハンガーのいずれかにガイド突起が形成され、これに対応して残りのいずれかには前記ガイド突起がスライド方式で結合されるガイド溝を持つ安着部が形成される、請求項４２に記載の家電機器の遠隔モニタ装置。
【請求項４４】
前記ハンガーの大きさは、前記下部ケースの大きさよりも小さい、請求項４２に記載の家電機器の遠隔モニタ装置。
【請求項４５】
前記家電機器の各進行状態に対応する音を出力するスピーカがさらに備えられる、請求項１に記載の家電機器の遠隔モニタ装置。
【請求項４６】
少なくとも一つの家電機器と所定の通信システムで連結されて、前記家電機器の状態を遠隔地で外部に表示するとともに、前記家電機器を制御するように構成され、
下部ケースと、前記下部ケースの上部に分離自在に組み立てられ、露出窓を持つ上部ケースと、前記上部ケースの上部に分離自在に組み立てられ、前記露出窓と対応するディスプレイ窓を持つ外面ケースとからなって外観を形成するケースと、
前記ケースに内蔵され、各種電子部品が実装された制御基板と、
を有することを特徴とする家電機器の遠隔モニタ装置。
【請求項４７】
前記外面ケースの露出面である上部面には、前記ディスプレイ窓を通した内部透視が可能なように透視用シートが備えられ、
前記透視用シートの上部面には、前記外面ケースのディスプレイ窓と対応する透視窓を持つ保護用シートが備えられる、請求項４６に記載の家電機器の遠隔モニタ装置。
【請求項４８】
前記透視用シートと前記保護用シートは、前記上部ケースの上部面と対応する大きさで形成される、請求項４７に記載の家電機器の遠隔モニタ装置。
【請求項４９】
前記透視用シートは前記外面ケースの上部面に安着するように備えられ、前記外面ケースのディスプレイ窓と対応する大きさで形成され、
前記保護用シートは前記外面ケースの上部面と対応する大きさで形成される、請求項４７に記載の家電機器の遠隔モニタ装置。
【請求項５０】
前記透視用シートは、ＰＥＴ樹脂材質で形成される、請求項４７に記載の家電機器の遠隔モニタ装置。
【請求項５１】
前記保護用シートは、アルミニウムなどの軽金属材質で形成される、請求項４７に記載の家電機器の遠隔モニタ装置。
【請求項５２】
前記外面ケースの上部面には、前記保護用シートの縁部に残存するバリとの干渉を防止するための干渉防止溝が形成される、請求項４７に記載の家電機器の遠隔モニタ装置。
【発明の詳細な説明】
【技術分野】
【０００１】
本発明は、家電機器に関し、より詳細には、主生活空間から遠距離に離れている洗濯機または乾燥機などの家電機器の進行状態を、使用者が位置移動することなく遠距離でも容易に把握及び制御できるようにした遠隔モニタ装置に関する。
【背景技術】
【０００２】
一般に、家電機器は、家庭で電気を用いて作動をする装置で、電気を光や熱または動力に変換させて家庭での生活をより便利にする。
【０００３】
近来、電気を動力として用いる洗濯機または乾燥機などの家電機器は、より広い生活空間を好む傾向と、設置空間を多く占める他、作動時に発生する騒音と振動が他の家電機器に比べて格段に大きいことから、主生活空間から離れたベランダなどの場所に設置して使用するのが普通である。
【０００４】
特に、米国とヨーロッパなどの海外では、家屋の構造上、主生活空間から遠く離れた地下室や別個の倉庫などに洗濯機を設置して使用するのが殆どである。
【発明の開示】
【発明が解決しようとする課題】
【０００５】
しかしながら、上記のように、使用者が生活する時間が多い居間などから遠く離れた場所に洗濯機などを設置して使用すると、洗濯機の行程や残っている時間などの進行状態を使用者が容易に認識することができない。
【０００６】
すなわち、使用者が洗濯機の設置されている場所を随時に直接訪問して洗濯機の進行状態を確認しなければならず、不便だった。
【０００７】
しかも、使用者が洗濯機を稼動したことを忘れたりすると、洗濯済みの洗濯物が洗濯機内に長時間放置され、洗濯物がしわくちゃになったり、細菌が増殖したりするなど、洗濯物の損傷を招くという問題につながる。
【０００８】
なお、使用者が洗濯機の行程エラーなどを認知できず、適切な対応が取れないと、洗濯物が洗剤及び洗濯水に長時間接触し、脱色など洗濯物の生地自体が傷みやすいという問題点があった。
【０００９】
本発明は上記の問題点を解決するためのもので、その目的は、洗濯機または乾燥機などの家電機器の状態を遠隔地で容易に把握したり制御するようにすることによって、家電機器をより效率的で便利に使用できるようにした家電機器の遠隔モニタ装置を提供することにある。
【課題を解決するための手段】
【００１０】
上記目的を達成するために、本発明は、少なくとも一つの家電機器と所定の通信システムで連結されて、前記家電機器の状態を遠隔地で外部に表示するとともに、前記家電機器を制御するように構成され、下部ケースと、前記下部ケースの上部に分離自在に組み立てられ、露出窓を持つ上部ケースとからなって外観を形成するケースと、前記ケースに内蔵され、各種電子部品が実装された制御基板を有することを特徴とする家電機器の遠隔モニタ装置を提供する。
【００１１】
上記目的を達成するための本発明の他の形態は、少なくとも一つの家電機器と所定の通信システムで連結されて、前記家電機器の状態を遠隔地で外部に表示するとともに、前記家電機器を制御するように構成され、下部ケースと、前記下部ケースの上部に分離自在に組み立てられ、露出窓を持つ上部ケースと、前記上部ケースの上部に分離自在に組み立てられ、前記露出窓と対応するディスプレイ窓を持つ外面ケースとからなって外観を形成するケースと、前記ケースに内蔵され、各種電子部品が実装された制御基板を有することを特徴とする家電機器の遠隔モニタ装置を提供する。
【００１２】
上記目的を達成するための本発明のさらに他の形態は、電力線通信用モデムが備えられた少なくとも一つの家電機器と電力線通信システムで連結されて、前記家電機器の状態を遠隔地で外部に表示するとともに、前記家電機器を制御するように構成され、下部ケースと、前記下部ケースに安着され、前記家電機器のモデムと電力線を介してデータを取り交わす通信モデム用基板と、前記通信モデム用基板の上部に実装または分離自在に備えられて前記家電機器の状態を外部に表示するディスプレイ用基板とからなる制御基板と、前記下部ケースの上部に分離自在に組み立てられ、前記ディスプレイ用基板の表示部が露出される露出窓を持つ上部ケースと、前記上部ケースの上部に透視可能なように備えられる透視用シートと、前記透視用シートの上部に前記上部ケースの露出窓と対応する透視窓を持つ保護用シートを有することを特徴とする家電機器の遠隔モニタ装置を提供する。
【００１３】
上記目的を達成するための本発明のさらに他の形態は、電力線通信用モデムが備えられた少なくとも一つの家電機器と電力線通信システムで連結されて、前記家電機器の状態を遠隔地で外部に表示するとともに、前記家電機器を制御するように構成され、下部ケースと、前記下部ケースに安着され、前記家電機器のモデムと電力線を介してデータを取り交わす通信モデム用基板と、前記通信モデム用基板の上部に実装または分離自在に備えられて前記家電機器の状態を外部に表示するディスプレイ用基板とからなる制御基板と、前記下部ケースの上部に分離自在に組み立てられ、前記ディスプレイ用基板の表示部が露出される露出窓を持つ上部ケースと、前記上部ケースの上部に分離自在に組み立てられ、前記露出窓と対応するディスプレイ窓を持つ外面ケースと、前記外面ケースの上部に透視可能なように備えられる透視用シートと、前記透視用シートの上部に前記外面ケースのディスプレイ窓と対応する透視窓を持つ保護用シートを有することを特徴とする家電機器の遠隔モニタ装置を提供する。
【発明の効果】
【００１４】
本発明に係る遠隔モニタ装置によれば、下記の効果が得られる。
第一に、使用者が家電機器の状態を遠隔地で容易に把握したり制御することが可能になる。
【００１５】
第二に、使用者が適切な時期に家電機器に措置を行い、家電機器の保守など効率的な管理が可能になる。
【００１６】
第三に、使用者が、家電機器で扱われる洗濯物、調理物など物の管理を效率的に果たすことが可能になる。
【発明を実施するための最良の形態】
【００１７】
以下、上記の目的を具体的に実現できる本発明の好適な実施例を、添付の図面を参照して説明する。
【００１８】
図１乃至図１１を参照して、本発明による家電機器の遠隔モニタ装置の第１実施例について説明する。
【００１９】
図１に示すように、遠隔モニタ装置１は、居間または部屋など使用者が主として生活する場所に設置され、洗濯機２及び乾燥機３などの家電機器は、居間や部屋等から離れた空間、例えば、ベランダや地下室等に設置される。
【００２０】
そして、遠隔モニタ装置１は、洗濯機２及び乾燥機３などの家電機器と電力線通信方式によって連結される。
【００２１】
すなわち、洗濯機２及び乾燥機３のそれぞれには電力線通信用モデムが備えられ、遠隔モニタ装置１には、洗濯機２及び乾燥機３に備えられた電力線通信用モデムと電力線を介してデータを取り交わす通信モデム用基板２００（図３参照）が備えられている。
【００２２】
したがって、洗濯機２及び乾燥機３をコンセントを介して電力線と連結し、遠隔モニタ装置１を電力線に連結するだけで、遠隔モニタ装置１は電力線を介して洗濯機２及び乾燥機３とデータを取り交わしながら洗濯機２及び乾燥機３の進行状態を外部に表示すると共に制御する。
【００２３】
次に、遠隔モニタ装置１の構造についてより詳細に説明する。
【００２４】
図２及び図３に示すように、遠隔モニタ装置１は、大きく、下部ケース１００と、下部ケース１００に備えられる通信モデム用基板２００と、通信モデム用基板２００の上部に備えられるディスプレイ用基板３００と、下部ケース１００の上部に備えられる上部ケース４００と、上部ケース４００の上部に備えられる外面ケース５００で構成される。
【００２５】
ここで、下部ケース１００は、上部が開口されて内側に所定の空間を持つ略長方形に形成され、上部ケース４００は、下部が開口されて内側に所定の空間を持つ略長方形に形成され、下部ケース１００の上部に結合される。
【００２６】
そして、通信モデム用基板２００は下部ケース１００の内側空間に安着され、ディスプレイ用基板３００は通信モデム用基板２００の上部に実装または分離自在に備えられる。
【００２７】
このとき、ディスプレイ用基板３００の両側端に雄（ｍａｌｅ）端子ピン３１０が備えられ、通信モデム用基板２００の両側端には雄端子ピン３１０が差し込まれる雌（ｆｅｍａｌｅ）端子ピン２１０が備えられ、雄端子ピン３１０が雌端子ピン２１０に結合または分離されることによって、ディスプレイ用基板３００は通信モデム用基板２００の上部に電気的に実装または分離される。
【００２８】
ここで、通信モデム用基板２００に雄端子ピンが備えられ、ディスプレイ用基板３００に雌端子ピンが備えられて、ディスプレイ用基板３００が通信モデム用基板２００の上部に実装または分離自在に備えられても良い。
【００２９】
そして、上部ケース４００は、ディスプレイ用基板３００の表示部であるＬＣＤセグメント３２０（ＬＣＤ  ｓｅｇｍｅｎｔ）が露出される露出窓４１０を有し、下部ケース１００の上部に分離自在に組み立てられる。
【００３０】
このとき、ＬＣＤセグメント３２０はディスプレイ用基板３００にねじ結合方式またはフック結合方式で分離自在に組み立てられ、家電機器の進行コース及び行程時間などの状態情報を数字及び文字などの記号で表示する。
【００３１】
また、外面ケース５００は、上部ケース４００の露出窓４１０に対応するディスプレイ窓５１０を有し、上部ケース４００の上部に分離自在に組み立てられる。
【００３２】
次に、下部ケース１００、上部ケース４００及び外面ケース５００の構造についてより詳細に説明する。
【００３３】
外面ケース５００の非露出面である下部面の各隅部には、下方へ突出した締結ボス５２０が備えられ、上部ケース４００には締結ボス５２０が貫通する通穴４２０が形成され、下部ケース１００には非露出面である上部面から突出する隆起部に締結穴１２０が形成される。
【００３４】
これにより、外面ケース５００と上部ケース４００及び下部ケース１００は、締結ボス５２０が通穴４２０を貫通して締結穴１２０に当った状態で、締結部材のねじＳが締結穴１２０を通って締結ボス５２０に形成された溝に自分でねじ山を作りながら結合されることによって同時に組み立てられる。
【００３５】
一方、下部ケース１００の上周縁に沿って全周に型合突起１３０が形成され、上部ケース４００の下周縁には、型合突起１３０が結合される型合溝４３０（図４参照）が形成される。
【００３６】
勿論、上部ケース４００の下周縁に型合突起が形成され、下部ケース１００の上周縁に型合突起が結合される型合溝が形成されても良い。
【００３７】
この場合、上部ケース４００の下周縁は、型合溝４３０が形成されることから、型合突起１３０の外側に位置する外縁部４３１（図４参照）と型合突起１３０の内側に位置する内縁部４３２（図４参照）とからなる二重構造とされる。
【００３８】
ここで、内縁部４３２の突出長さは、外縁部４３１の突出長さよりも長く形成される。
【００３９】
これは、型合突起１３０の内側面と内縁部４３２との密着力を増大させて上部ケース４００と下部ケース１００をより堅固に結合させ、水分が浸透するのを防止するためである。
【００４０】
そして、上部ケース４００の型合溝４３０には、型合突起１３０との結合時に、型合突起１３０の両端隅部が圧着されるシーリング部４３０ａ（図７参照）が形成される。
【００４１】
ここで、シーリング部４３０ａは、型合突起１３０の両端隅部にそれぞれ圧着される傾斜面で形成される。
【００４２】
また、下部ケース１００の型合突起１３０の内側面には、その周縁に沿って所定の間隔で複数個の型合フック１３３（図７参照）が備えられ、上部ケース４００の内縁部４３２には、複数個の型合フック１３３がそれぞれ結合するように、複数個の型合フック１３３と対応する位置ごとに複数個のフック穴４３３（図７参照）が形成されている。
【００４３】
したがって、下部ケース１００の型合突起１３０が上部ケース４００の型合溝４３０に結合されると、これと同時に下部ケース１００の型合フック１３３が上部ケース４００のフック穴４３３に係合されることによって上・下部ケース４００，１００は堅固に結合される。
【００４４】
一方、図４に示すように、上部ケース４００の上周縁の全周にわたって結合突起４５０が形成され、外面ケース５００の下周縁には、結合突起４５０が結合される結合溝５５０が形成される。
【００４５】
そして、外面ケース５００の周縁内側の下部面には、係合穴５６１の形成されている係合部５６０が下方に突出形成される。
【００４６】
また、上部ケース４００の上部面には、係合部５６０が挿通する挿入穴４６０が形成され、これと共に上部ケース４００の内側面には係合部５６０の係合穴５６１に結合される係止フック４６１が設けられている。
【００４７】
ここで、係合部５６０は、外面ケース５００の周縁に沿って所定の間隔で複数個が形成される。
【００４８】
したがって、外面ケース５００の係合部５６０が上部ケース４００の挿入穴４６０に挿通されると、係合部５６０の係合穴５６１が上部ケース４００の係止フック４６１に引っ掛かるようになる。
【００４９】
これと同時に、上部ケース４００の上周縁に形成された結合突起４５０が外面ケース５００の周縁に形成された結合溝５５０に結合されることによって、上部ケース４００に外面ケース５００が堅固に結合される。
【００５０】
一方、図５及び図６に示すように、外面ケース５００の露出面である上部面には、ディスプレイ窓５１０を通って内部透視可能なようにＰＥＴ（ｐｏｌｙｅｔｈｙｌｅｎｅ  ｔｅｒｅｐｈｔｈａｌａｔｅ）などのような樹脂材質からなる透視用シート６００が備えられる。
【００５１】
なお、透視用シート６００の上部面には、外面ケース５００のディスプレイ窓５１０と対応する透視窓７１０を持つアルミニウムなどのような軽金属材質の保護用シート７００が備えられる。
【００５２】
この時、透視用シート６００と保護用シート７００は、外面ケース５００の上部面と対応する大きさで形成される。
【００５３】
もちろん、透視用シート６００が外面ケース５００のディスプレイ窓５１０と対応する大きさで形成され、保護用シート７００は外面ケース５００の上部面と対応する大きさで形成されても良い。
【００５４】
ここで、図８を参照すると、外面ケース５００の上部面の周縁には、保護用シート７００の加工過程（例えば、プレス切断加工等）でバリ７０２が残存する場合、バリ７０２と干渉して保護用シート７００が浮くのを防止するための干渉防止溝５０２が形成される。
【００５５】
また、外面ケース５００の周縁部は、腐食及び摩耗の防止と美観上の光沢維持のためにクロムメッキなどメッキすることが好ましい。
【００５６】
一方、図５及び図６を参照して、上・下部ケース４００，１００の内部で通信モデム用基板２００とディスプレイ用基板３００が支持される構造についてより詳細に説明する。
【００５７】
通信モデム用基板２００とディスプレイ用基板３００は相互結合された状態で上・下部ケース４００，１００の内部に装着される。
【００５８】
そして、下部ケース１００の非露出面である上部面の外側部には、通信モデム用基板２００が下部ケース１００の上部面から所定高さだけ隔たって置かれると同時に移動が防止されるように“Ｌ”字状のガイドリブ１７０（図３参照）が形成される。
【００５９】
ここで、ガイドリブ１７０は、下部ケース１００の上部面の外側部に沿って所定の間隔で複数個形成される。
【００６０】
そして、下部ケース１００の上部面には、通信モデム用基板２００を支持するための下部支持ボス１８１が複数個形成される。
【００６１】
この場合、下部支持ボス１８１はその突出端面が平坦に形成されて、通信モデム用基板２００の下部面に密着支持され、通信モデム用基板２００の中央領域に対応する位置に主として配置される。
【００６２】
また、下部支持ボス１８１は、通信モデム用基板２００の上部に実装されたディスプレイ用基板３００に備えられたタクトスイッチ３７０が押下されることによって通信モデム用基板２００が一側に押されることを防止するように、スイッチ３７０周辺領域に対応する位置に集中して配置されることが好ましい。
【００６３】
これに加えて、下部ケース１００の上部面には、ディスプレイ用基板３００に備えられたスイッチ３７０が押下されることによってディスプレイ用基板３００そのものが傾くのを防止するようにディスプレイ用基板３００を直接支持する支持ピン１８２が備えられる。
【００６４】
すなわち、支持ピン１８２は、通信モデム用基板２００に形成された穴を通過してその端面がディスプレイ用基板３００の下部面に密着支持される。
【００６５】
したがって、支持ピン１８２は、その端面が平坦に形成され、ディスプレイ用基板３００のスイッチ３７０周辺領域に対応する位置に形成されることが好ましい。
【００６６】
通信モデム用基板２００を支持する下部支持ボス１８１と共に、上部ケース４００の非露出面である下部面にはディスプレイ用基板３００を支持するための上部支持ボス４８０（図４参照）が複数個形成される。
【００６７】
ここで、上部支持ボス４８０はその突出端面が平坦に形成されてディスプレイ用基板３００の上部面に密着支持され、ディスプレイ用基板３００の外側領域と対応する位置に主として配置される。
【００６８】
すなわち、上部支持ボス４８０は、ディスプレイ用基板３００のＬＣＤセグメント３２０の外側領域に位置する上部面を支持するようにそれに対応する位置である上部ケース４００の露出窓４１０の周辺部に設けられることが好ましい。
【００６９】
一方、ディスプレイ用基板３００に備えられたタクトスイッチ３７０を外部から押下するために作動ボタン８００が備えられる。
【００７０】
すなわち、図３を参照すると、上部ケース４００に作動ボタン８００が備えられるボタン穴４７０が形成され、外面ケース５００にはボタン穴４７０と対応する連通穴５７０が形成される。
【００７１】
また、透視用シート６００及び保護用シート７００には、連通穴５７０と対応する対応穴６７０，７７０がそれぞれ形成される。
【００７２】
したがって、作動ボタン８００は、ボタン穴４７０、連通穴５７０及び対応穴６７０，７７０を順に通って一部が外部に露出され、よって、外部から押下されてタクトスイッチ３７０を押した後、再び元の位置に復帰するように構成される。
【００７３】
この作動ボタン８００は、図９及び図１０に示すように、上部ケース４００のボタン穴４７０及び連通穴５７０から操作可能なように外部に露出される押し部８１０と、押し部８１０の下部に一体に形成されて上部ケース４００の下部面に固定される設置部８２０とで構成される。
【００７４】
このため、ボタン穴４７０両側の上部ケース４００の下部面にはフック４７７が突出形成され、作動ボタン８００は設置部８２０の底面縁部がフック４７７（図６参照）に係合されることによって上部ケース４００に固定される。
【００７５】
そして、設置部８２０の中央には、作動ボタン８００が押下された時にタクトスイッチ３７０と接触する接触突起８２１が形成される。
【００７６】
また、設置部８２０の外側部には作動ボタン８００が復元力を持つように複数個の切開スロットからなる弾性リブ８２２が形成される。
【００７７】
また、設置部８２０の周縁底面には、作動ボタン８００の設置時にタクトスイッチ３７０周辺の通信モデム用基板２００に実装された電子部品２９０（図６参照）との干渉が防止されるように干渉回避溝８２３が形成される。
【００７８】
この場合、作動ボタン８００は両方向に対称な形状であるので、干渉回避溝８２３を設置部８２０の周縁両側に対称に形成し、これによって、作動ボタン８００の誤組み立てによって作動ボタン８００が反対に設置された場合にも、電子部品２９０と干渉するのを防止することが好ましい。
【００７９】
一方、上部ケース４００のボタン穴４７０の周縁には、下方に突出した段差部４７３（図５参照）が形成され、作動ボタン８００の設置部８２０には段差部４７３と反対に突出形成されて、作動ボタン８００が組み立てられるときに上部ケース４００の下部面に密着される逆段差部８２４（図５参照）が形成される。
【００８０】
ここで、逆段差部８２４の突出長さを段差部４７３の突出長さと同一にして、上部ケース４００の下部面に逆段差部８２４が密着設置されるようにすることが好ましい。
【００８１】
したがって、作動ボタン８００が上部ケース４００のボタン穴４７０に組み立てられるとき、作動ボタン８００の逆段差部８２４は上部ケース４００の段差部４７３を取り囲むように上部ケース４００の下部面に密着して設置されるので、ボタン穴４７０を通って外部から水が浸入するのを防止できる。
【００８２】
このように構成された遠隔モニタ装置１は、図１１に示すように、個別の固定手段によってユーザーの希望する場所に設置することができる。
【００８３】
例えば、遠隔モニタ装置１を、使用者が主として生活する居間の壁等に固定手段を用いて設置することができる。
【００８４】
ここで、固定手段は、遠隔モニタ装置１を構成する下部ケース１００の露出面である下部面の中央側に略長方形に突出形成された装着部１９０と、遠隔モニタ装置１が据え付けられる壁に固定されて装着部１９０が結合されるハンガー（ｈａｎｇｅｒ）９００とで構成される。
【００８５】
なお、装着部１９０の両側にはそれぞれガイド突起１９１が形成され、ハンガー９００の両側には、ガイド突起１９１がスライド方式に結合されるように内側にガイド溝９１１が形成された安着部９１０が形成される。
【００８６】
したがって、遠隔モニタ装置１は、ハンガー９００を壁にボルトのような締結部材で取り付けた後、下部ケース１００の装着部１９０に形成されたガイド突起１９１を、ハンガー９００の安着部９１０に形成されたガイド溝９１１にスライド方式で結合するだけで簡単に設置される。
【００８７】
このとき、美観上、使用者が遠隔モニタ装置１を正面からみたときにハンガー９００が見えないように、ハンガー９００の大きさを下部ケース１００の大きさよりも小さくすることが好ましい。
【００８８】
一方、図３に示すように、外面ケース５００の露出面である上部面には、金型による射出成形時に、締結ボス５２０が収縮するのを防止するための収縮防止溝５０１が形成される。
【００８９】
ここで、収縮防止溝５０１は、外面ケース５００の上部面において締結ボス５２０に対応する隅部に形成され、締結ボス５２０の長さ方向中心軸と同じ中心軸を持つリング状の溝となる。
【００９０】
したがって、外面ケース５００は、金型を用いた射出成形時に締結ボス５２０に働く収縮変形力を収縮防止溝５０１に相当分散させることができ、締結ボス５２０が収縮するのを事前に防止することができる。
【００９１】
そして、下部ケース１００の非露出面である上部面には、下部ケース１００の金型を用いた射出成形時に、下部ケース１００に形成された型合フック１３３と干渉することなく金型が除去されるようにスライド部１０１が形成される。
【００９２】
ここで、スライド部１０１は下部ケース１００の上部面外側部から型合フック１３３の下部に位置する下部ケース１００の縁部まで平坦に形成された面である。
【００９３】
もちろん、スライド部１０１は型合フック１３３の個数と対応する個数とする。
【００９４】
上記のように下部ケース１００にスライド部１０１が形成されることによって、下部ケース１００の射出金型はスライド部１０１に沿って下部ケース１００の中央側に移動した後、型合フック１３３と干渉なしに上方に円滑に外される。
【００９５】
一方、図示してはいないが、遠隔モニタ装置１にはスピーカを備え、家電機器の進行状態を遠隔地の使用者に音で知らせても良い。
【００９６】
すなわち、家電機器の各進行状態ごとに指定された固有の音をスピーカから出力すると、使用者はこの特定音だけで進行状態及びエラー状態が認知でき、適切に家電機器を保守及び制御することができる。
【００９７】
以下、図３乃至図１０を参照して、遠隔モニタ装置１の組み立て過程について説明する。
【００９８】
まず、図３を参照すると、通信モデム用基板２００に形成された雌端子ピン２１０に、ディスプレイ用基板３００に形成された雄端子ピン３１０を結合し、通信モデム用基板２００の上部にディスプレイ用基板３００を電気的に結合する。
【００９９】
上記のように通信モデム用基板２００の上部にディスプレイ用基板３００を積層する方式で実装すると、通信モデム用基板２００及びディスプレイ用基板３００の設置空間を最小化し、結果として遠隔モニタ装置１の小型化が可能になる。
【０１００】
その後、通信モデム用基板２００にディスプレイ用基板３００が結合された制御基板を、下部ケース１００のガイドリブ１７０に安着させて設置する。
【０１０１】
ここで、ガイドリブ１７０は略“Ｌ”字状に形成され、通信モデム用基板２００の周縁に対応して複数個形成されるため、制御基板を下部ケース１００の内側空間に所定高さに設置すると同時に制御基板の移動を防止する。
【０１０２】
一方、図４に示すように、上部ケース４００のボタン穴４７０には作動ボタン８００が設置されるが、このとき、作動ボタン８００は上部ケース４００に形成されたフック４７７によってボタン穴４７０に堅固に固定される。
【０１０３】
このとき、図５に示すように、上部ケース４００のボタン穴４７０には段差部４７３が形成され、作動ボタン８００には段差部４７３を取り囲みながら上部ケース４００の下部面に密着される逆段差部８２４が形成されているため、ボタン穴４７０を通って外部から水が侵入することを防止できる。
【０１０４】
また、図６に示すように、作動ボタン８００には、下部ケース１００に備えられた制御基板の各種電子部品２９０との干渉を防止するための干渉回避溝８２３が形成されている。
【０１０５】
したがって、上部ケース４００が下部ケース１００に結合されるとき、下部ケース１００に備えられた制御基板の各種電子部品２９０と作動ボタン８００との組み立て干渉なしに円滑に組み立てられる。
【０１０６】
一方、外面ケース５００の上部面には、透視用シート６００及び保護用シート７００が備えられるが、このとき、透視用シート６００と保護用シート７００は両面テープまたは接着剤などによって備えられる。
【０１０７】
なお、外面ケース５００の上部面縁部には、保護用シート７００の加工過程で残存するバリ７０２（図８参照）と干渉するのを防止するための干渉防止溝５０２が形成されているため、保護用シート７００が浮くのを事前に防止できる。
【０１０８】
その後、上部ケース４００及び外面ケース５００は下部ケース１００の上部に順に位置して結合される。
【０１０９】
具体的には、まず、上部ケース４００が下部ケース１００に結合される。このとき、下部ケース１００の型合突起１３０（図７参照）が上部ケース４００の型合溝４３０（図７参照）に結合される。
【０１１０】
同時に、型合突起１３０の内側面に形成された型合フック１３１が型合溝４３０に形成されたフック穴４３１に係合されることで、上部ケース４００と下部ケース１００は堅固に固定される。
【０１１１】
また、型合溝４３０には、型合突起１３０の両端隅部が圧着されるシーリング部４３０ａが形成されているため、結合時に当接する縁部から外部の水が侵入するのを防止できる。
【０１１２】
一方、ディスプレイ用基板３００に備えられたＬＣＤセグメント３２０（図５参照）の上面は、上部ケース４００の露出窓４１０に対応して外部に露出されるように備えられる。
【０１１３】
続いて、図４に示すように、外面ケース５００が上部ケース４００の上部に結合される。このとき、上部ケース４００の結合突起４５０が外面ケース５００の結合溝５５０に結合される。
【０１１４】
これと同時に、外面ケース５００の係合部５６０が上部ケース４００の挿入穴４６０を通過し、係合部５６０の係合穴５６１に上部ケース４００の係止フック４６１係合することてで、外面ケース５００と上部ケース４００が堅固に固定される。
【０１１５】
このとき、図５に示すように、上部ケース４００の露出窓４１０から露出されたＬＣＤセグメント３２０の上面は、露出窓４１０と連通する外面ケース５００のディスプレイ窓５１０から外部に露出されるものの、外面ケース５００に備えられた透視用シート６００を介して外部から透視可能なように露出される。
【０１１６】
また、外面ケース５００には、ボタン穴４７０と連通する連通穴５７０が形成され、作動ボタン８００はボタン穴４７０及び連通穴５７０を通って外部に突出されることによって外部からの操作が可能になる。
【０１１７】
一方、図３に示すように、下部ケース１００と上部ケース４００及び外面ケース５００は上記のように相互結合するとともに、外面ケース５００の締結ボス５２０が上部ケース４００の通穴４２０を通過して下部ケース１００の締結穴１２０に当接した状態で締結ねじＳによって締め付けられる。
【０１１８】
したがって、各ケース１００，４００，５００間の組み立て段差を最小化することができ、各ケース１００，４００，５００の組み立てが同時に且つより容易になされるようにする。
【０１１９】
一方、図５及び図６に示すように、通信モデム用基板２００とディスプレイ用モデム基板３００はそれぞれ上・下部ケース４００，１００に形成された上・下部支持ボス１８１によって上・下部ケース４００，１００内部で堅固に固定支持される。
【０１２０】
すなわち、ディスプレイ用基板３００は、上部ケース４００に形成された上部支持ボス４８０によって支持され、通信モデム用基板２００は、下部ケース１００に形成された下部支持ボス１８１によって支持される。
【０１２１】
そして、下部ケース１００には、通信モデム用基板２００を貫通してディスプレイ用基板３００を支持する支持ピン１８２がさらに備えられる。
【０１２２】
したがって、ディスプレイ用基板３００に備えられたスイッチ３７０が作動ボタン８００の操作によって押下される場合、支持ピン１８２の支持力によってディスプレイ用基板３００が傾くのを事前に防止できる。
【０１２３】
以下、図１１を参照して、上記のように組み立てされた遠隔モニタ装置１の設置過程について説明する。
【０１２４】
まず、遠隔モニタ装置１を設置するためには、ハンガー９００をボルトのような締結部材でユーザの希望する場所の壁に固定する。
【０１２５】
その後、遠隔モニタ装置１の装着部１９０に形成されたガイド突起１９１をハンガー９００の安着部９１０に形成されたガイド溝９１１に上下方向スライド方式で結合するだけで、遠隔モニタ装置１がハンガー９００によってユーザの希望する場所の壁に固定設置される。
【０１２６】
このとき、ハンガー９００の大きさは遠隔モニタ装置１の全体的な外観大きさよりも小さいため、使用者が正面から遠隔モニタ装置１を見たときにハンガー９００が見えなく、また、遠隔モニタ装置１の外面ケース５００縁部は、スクラッチ、摩耗などを防止するためにシルバークロムメッキされているため、美観がきれいである。
【０１２７】
以下、図１２乃至図２１を参照して、本発明による遠隔モニタ装置の第２実施例について説明する。
【０１２８】
図１２に示すように、本発明の第２実施例による遠隔モニタ装置１０は、上記第１実施例の遠隔モニタ装置１（図３参照）を構成する外面ケース５００（図３参照）の機能を兼ねる上部ケース１４００が適用される。
【０１２９】
また、第２実施例による遠隔モニタ装置１０も同様に、洗濯機２（図１参照）及び乾燥機３（図１参照）などの家電機器と電力線通信方式によってデータを取り交わすように連結されている。
【０１３０】
以下、第２実施例による遠隔モニタ装置１０の構造についてより詳細に説明する。
【０１３１】
図１３に示すように、本実施例の遠隔モニタ装置１０は、大きく、下部ケース１１００と、下部ケース１１００に備えられ、通信モデム用基板１２００とディスプレイ用基板１３００とからなる制御基板と、下部ケース１１００の上部に備えられる上部ケース１４００とで構成される。
【０１３２】
ここで、下部ケース１１００は、上部が開口され、内側に所定の空間を持つ略長方形に形成され、上部ケース１４００は、下部が開口され、内側に所定の空間を持つ略長方形に形成され、下部ケース１１００の上部に分離自在に結合される。
【０１３３】
そして、通信モデム用基板１２００は、下部ケース１１００の内側空間に安着され、ディスプレイ用基板１３００は、通信モデム用基板１２００の上部に実装または分離自在に備えられる。
【０１３４】
ここで、ディスプレイ用基板１３００の両側端に雄端子ピン１３１０が備えられ、通信モデム用基板１２００の両側端には雄端子ピン１３１０が差し込まれる雌端子ピン１２１０が備えられ、雄端子ピン１３１０が雌端子ピン１２１０に結合または分離されることによって、ディスプレイ用基板１３００は通信モデム用基板１２００の上部に電気的に実装または分離される。
【０１３５】
もちろん、通信モデム用基板１２００に雄端子ピンが備えられ、ディスプレイ用基板１３００に雌端子ピンが備えられても良い。
【０１３６】
そして、上部ケース１４００は、ディスプレイ用基板１３００の表示部であるＬＣＤセグメント１３２０が露出される露出窓１４１０を有し、下部ケース１１００の上部に分離自在に組み立てられる。
【０１３７】
ここで、ＬＣＤセグメント１３２０は、ディスプレイ用基板１３００にねじ結合方式またはフック締結方式で分離自在に組み立てられ、家電機器の進行コース及び行程時間などの状態情報を数字及び文字などの記号で表示する。
【０１３８】
上部ケース１４００と下部ケース１１００の構造についてより詳細に説明すると、下記の通りである。
【０１３９】
上部ケース１４００の非露出面である下部面の各隅部には、下方に突出された締結ボス１４２０が設けられ、下部ケース１１００には非露出面である上部面から突出される隆起部に締結穴１１２０が形成される。
【０１４０】
したがって、上部ケース１４００と下部ケース１１００は、締結ボス１４２０が締結穴１１２０に接触した状態で、締結部材のねじＳが締結穴１１２０を通って締結ボス１４２０に形成された溝に自分でねじ山を作りながら結合されることによって同時に組み立てられる。
【０１４１】
一方、下部ケース１１００の上周縁に沿って全周に型合突起１１３０が形成され、上部ケース１４００の下周縁には型合突起１１３０の結合される型合溝１４３０（図１４参照）が形成される。
【０１４２】
もちろん、上部ケース１４００の下周縁に型合突起が形成され、下部ケース１１００の上周縁に型合突起の結合される型合溝が形成されても良い。
【０１４３】
そして、上部ケース１４００の下周縁は、型合溝１４３０が形成されることから、型合突起１１３０の外側に位置する外縁部１４３１（図１４参照）と型合突起１１３０の内側に位置する内縁部１４３２（図１４参照）とからなる二重構造とされる。
【０１４４】
この場合、内縁部１４３２の突出長さは外縁部１４３１の突出長さよりも長く形成される。
【０１４５】
これは、型合突起１１３０の内側面と内縁部１４３２との密着力を増大させて上部ケース１４００と下部ケース１００をより堅固に結合させ、水分が侵入されるのを防止するためである。
【０１４６】
そして、上部ケース１４００の型合溝１４３０には、型合突起１１３０との結合時に型合突起１１３０の両端隅部が圧着されるシーリング部１４３０ａ（図１７参照）が形成される。
【０１４７】
ここで、シーリング部１４３０ａは、型合突起１１３０の両端隅部にそれぞれ圧着される傾斜面で形成される。
【０１４８】
また、下部ケース１１００の型合突起１１３０の内側面にはその周縁に沿って所定の間隔で複数個の型合フック１１３３（図１７参照）が形成され、上部ケース１４００の内縁部１４３２には複数個の型合フック１１３３と対応する位置ごとに形成されて複数個の型合フック１１３３がそれぞれ結合される複数個のフック穴１４３３（図１７参照）が形成される。
【０１４９】
したがって、下部ケース１００の型合突起１１３０が上部ケース１４００の型合溝１４３０に結合されると、これと同時に下部ケース１１００の型合フック１１３３が上部ケース１４００のフック穴１４３３に係合されることによって、上・下部ケース１４００，１１００は堅固に結合される。
【０１５０】
一方、図１５及び図１６に示すように、上部ケース１４００の露出面である上部面には、露出窓１４１０を通って内部透視可能なようにＰＥＴなどのような樹脂材質からなる透視用シート１６００が備えられる。
【０１５１】
そして、透視用シート１６００の上部面には、上部ケース１４００の露出窓１４１０と対応する透視窓１７１０を持つアルミニウムなどの軽金属材質からなる保護用シート１７００が備えられる。
【０１５２】
ここで、透視用シート１６００と保護用シート１７００は、上部ケース１４００の上部面と対応する大きさで形成される。
【０１５３】
もちろん、透視用シート１６００が上部ケース１４００のディスプレイ窓１４１０と対応する大きさで形成され、保護用シート１７００は上部ケース１４００の上部面と対応する大きさで形成されても良い。
【０１５４】
ここで、図１８を参照すると、上部ケース１４００の上部面縁部には、保護用シート１７００の加工過程（例えば、プレス切断加工等）でバリ１７０２が残存する場合、バリ１７０２と干渉して保護用シート１７００が浮くのを防止するための干渉防止溝１４０２が形成される。
【０１５５】
また、上部ケース１４００の上周縁部は、腐食と摩耗の防止及び美観上の光沢維持のためにクロムメッキのようなメッキをすることが好ましい。
【０１５６】
一方、図１５及び図１６を参照して、上・下部ケース１４００，１１００内部で通信モデム用基板１２００とディスプレイ用基板１３００が支持される構造についてより詳細に説明する。
【０１５７】
通信モデム用基板１２００とディスプレイ用基板１３００は相互結合された状態で上・下部ケース１４００，１１００の内部に装着される。
【０１５８】
そして、下部ケース１１００の非露出面である上部面外側部には、通信モデム用基板１２００が下部ケース１１００の上部面から所定高さ隔たって安着されると同時に移動が防止されるようにする“Ｌ”字状のガイドリブ１１７０（図１３参照）が設けられる。
【０１５９】
ここで、ガイドリブ１１７０は、下部ケース１１００の上部面外側部に沿って所定の間隔で複数個設けられる。
【０１６０】
そして、下部ケース１１００の上部面には、通信モデム用基板１２００を支持するための下部支持ボス１１８１が複数個設けられる。
【０１６１】
ここで、下部支持ボス１１８１はその突出端面が平坦に形成されて通信モデム用基板１２００の下部面に密着支持され、通信モデム用基板１２００の中央領域に対応する位置に主として配置される。
【０１６２】
また、下部支持ボス１１８１は、通信モデム用基板１２００の上部に実装されたディスプレイ用基板１３００に備えられたタクトスイッチ１３７０が押下されることによって通信モデム用基板１２００が一側に押されるのを防止できるように、スイッチ１３７０周辺領域に対応する位置に集中して配置されることが好ましい。
【０１６３】
これに加えて、下部ケース１１００の上部面には、ディスプレイ用基板１３００に備えられたスイッチ１３７０が押下されることによってディスプレイ用基板１３００そのものが傾くのを防止できるように、ディスプレイ用基板１３００を直接支持する支持ピン１１８２が備えられる。
【０１６４】
すなわち、支持ピン１１８２は、通信モデム用基板１２００に形成された穴を挿通してその端面がディスプレイ用基板１３００の下部面に密着支持される。
【０１６５】
この場合、支持ピン１１８２の端面は平坦に形成され、ディスプレイ用基板１３００のスイッチ１３７０周辺領域に対応する位置に形成されることが好ましい。
【０１６６】
通信モデム用基板１２００を支持する下部支持ボス１１８１と共に、上部ケース１４００の非露出面である下部面にはディスプレイ用基板１３００を支持するための上部支持ボス１４８０（図１４参照）が複数個設けられる。
【０１６７】
ここで、上部支持ボス１４８０はその突出端面が平坦に形成されてディスプレイ用基板１３００の上部面に密着支持され、ディスプレイ用基板１３００の外側領域と対応する位置に主として配置される。
【０１６８】
すなわち、上部支持ボス１４８０は、ディスプレイ用基板１３００のＬＣＤセグメント１３２０の外側領域に位置する上部面を支持するように、それに対応する位置である上部ケース１４００のディスプレイ窓１４１０周辺部に設けられることが好ましい。
【０１６９】
一方、ディスプレイ用基板１３００に備えられたタクトスイッチ１３７０を外部から押下するために作動ボタン１８００が備えられる。
【０１７０】
すなわち、図１３に示すように、上部ケース１４００に作動ボタン１８００が備えられるボタン穴１４７０が形成される。
【０１７１】
また、透視用シート１６００及び保護用シート１７００にはボタン穴１４７０と対応する対応穴１６７０，１７７０がそれぞれ形成される。
【０１７２】
したがって、作動ボタン１８００は、ボタン穴１４７０と対応穴１６７０，１７７０を順に通って一部が外部に露出され、よって、外部から押下されてタクトスイッチ１３７０を押した後、再び元の位置に復帰するように構成される。
【０１７３】
この作動ボタン１８００は、図１９及び図２０に示すように、上部ケース１４００のボタン穴１４７０から操作可能なように外部に露出される押し部１８１０と、押し部１８１０の下部に一体に形成されて上部ケース１４００の下部面に固定される設置部１８２０とで構成される。
【０１７４】
このため、ボタン穴１４７０両側の上部ケース１４００の下部面にはフック１４７７が突出形成され、作動ボタン１８００は設置部１８２０の底面縁部がフック１４７７（図１６参照）に係合されることによって上部ケース１４００に固定される。
【０１７５】
そして、設置部１８２０の中央には、作動ボタン１８００が押下された時にタクトスイッチ１３７０と接触する接触突起１８２１が形成される。
【０１７６】
また、設置部１８２０の外側部には作動ボタン１８００が復元力を持つように複数個の切開スロットからなる弾性リブ１８２２が形成される。
【０１７７】
また、設置部１８２０の周縁底面には、作動ボタン１８００の設置時にタクトスイッチ１３７０周辺の通信モデム用基板１２００に実装された電子部品１２９０（図１６参照）との干渉が防止されるように干渉回避溝１８２３が形成される。
【０１７８】
この場合、作動ボタン１８００は両方向に対称な形状であるので、干渉回避溝１８２３を設置部１８２０の周縁両側に対称に形成し、これによって、作動ボタン１８００の誤組み立てによって作動ボタン１８００が反対に設置された場合にも、電子部品１２９０と干渉するのを防止することが好ましい。
【０１７９】
一方、上部ケース１４００のボタン穴１４７０の周縁には、下方に突出した段差部１４７３（図５参照）が形成され、作動ボタン１８００の設置部１８２０には段差部１４７３と反対に突出形成されて、作動ボタン１８００が組み立てられるときに上部ケース１４００の下部面に密着される逆段差部１８２４（図１５参照）が形成される。
【０１８０】
ここで、逆段差部１８２４の突出長さを段差部１４７３の突出長さと同一にして、上部ケース１４００の下部面に逆段差部１８２４が密着設置されるようにすることが好ましい。
【０１８１】
したがって、作動ボタン１８００が上部ケース１４００のボタン穴１４７０に組み立てられるとき、作動ボタン１８００の逆段差部１８２４は上部ケース１４００の段差部１４７３を取り囲むように上部ケース１４００の下部面に密着して設置されるので、ボタン穴１４７０を通って外部から水が浸入するのを防止できる。
【０１８２】
このように構成された遠隔モニタ装置１０は、図２１に示すように、個別の固定手段によってユーザの希望する場所に設置することができる。
【０１８３】
例えば、遠隔モニタ装置１０を、使用者が主として生活する居間の壁等に固定手段を用いて設置することができる。
【０１８４】
ここで、固定手段は、遠隔モニタ装置１０を構成する下部ケース１１００の露出面である下部面の中央側に略長方形に突出形成された装着部１１９０と、遠隔モニタ装置１０が据え付けられる壁に固定されて装着部１１９０が結合されるハンガー１９００とで構成される。
【０１８５】
なお、装着部１１９０の両側にはそれぞれガイド突起１１９１が形成され、ハンガー１９００の両側には、ガイド突起１１９１がスライド方式に結合されるように内側にガイド溝１９１１が形成された安着部１９１０が形成される。
【０１８６】
したがって、遠隔モニタ装置１０は、ハンガー１９００を壁にボルトのような締結部材で取り付けた後、下部ケース１１００の装着部１１９０に形成されたガイド突起１１９１を、ハンガー１９００の安着部１９１０に形成されたガイド溝１９１１にスライド方式で結合するだけで簡単に設置される。
【０１８７】
このとき、美観上、使用者が遠隔モニタ装置１０を正面からみたときにハンガー１９００が見えないように、ハンガー１９００の大きさを下部ケース１１００の大きさよりも小さくすることが好ましい。
【０１８８】
一方、図１３に示すように、上部ケース１４００の露出面である上部面には、金型による射出成形時に、締結ボス１４２０が収縮するのを防止するための収縮防止溝１４０１が形成される。
【０１８９】
ここで、収縮防止溝１４０１は、上部ケース１４００の上部面において締結ボス１４２０に対応する隅部に形成され、締結ボス１４２０の長さ方向中心軸と同じ中心軸を持つリング状の溝となる。
【０１９０】
したがって、上部ケース１４００は、金型を用いた射出成形時に締結ボス１４２０に働く収縮変形力を収縮防止溝１４０１に相当分散させることができ、締結ボス１４２０が収縮するのを事前に防止することができる。
【０１９１】
そして、下部ケース１１００の非露出面である上部面には、下部ケース１１００の金型を用いた射出成形時に、下部ケース１１００に形成された型合フック１１３３と干渉することなく金型が除去されるようにスライド部１１０１が形成される。
【０１９２】
ここで、スライド部１１０１は下部ケース１１００の上部面外側部から型合フック１１３３の下部に位置する下部ケース１１００の縁部まで平坦に形成された面である。
【０１９３】
もちろん、スライド部１１０１は型合フック１１３３の個数と対応する個数とする。
【０１９４】
上記のように下部ケース１１００にスライド部１１０１が形成されることによって、下部ケース１１００の射出金型はスライド部１１０１に沿って下部ケース１１００の中央側に移動した後、型合フック１１３３と干渉なしに上方に円滑に外される。
【０１９５】
一方、図示してはいないが、遠隔モニタ装置１０にはスピーカーを備え、家電機器の進行状態を遠隔地の使用者に音で知らせても良い。
【０１９６】
すなわち、家電機器の各進行状態ごとに指定された固有の音をスピーカーから出力すると、使用者はこの特定音だけで進行状態及びエラー状態が認知でき、適切に家電機器を保守及び制御することができる。
【０１９７】
以下、図１３乃至図２０を参照して、遠隔モニタ装置１０の組み立て過程について説明する。
【０１９８】
まず、図１３を参照すると、通信モデム用基板１２００に形成された雌端子ピン１２１０に、ディスプレイ用基板１３００に形成された雄端子ピン１３１０を結合し、通信モデム用基板１２００の上部にディスプレイ用基板１３００を電気的に結合する。
【０１９９】
上記のように通信モデム用基板１２００の上部にディスプレイ用基板１３００を積層する方式で実装すると、通信モデム用基板１２００及びディスプレイ用基板１３００の設置空間を最小化し、結果として遠隔モニタ装置１０の小型化が可能になる。
【０２００】
その後、通信モデム用基板１２００にディスプレイ用基板１３００が結合された制御基板を、下部ケース１１００のガイドリブ１１７０に安着させて設置する。
【０２０１】
ここで、ガイドリブ１１７０は略“Ｌ”字状に形成され、通信モデム用基板１２００の周縁に対応して複数個形成されるため、制御基板を下部ケース１１００の内側空間に所定高さに設置すると同時に制御基板の移動を防止する。
【０２０２】
一方、図１４に示すように、上部ケース１４００のボタン穴１４７０には作動ボタン１８００が設置されるが、このとき、作動ボタン１８００は上部ケース１４００に形成されたフック１４７７によってボタン穴１４７０に堅固に固定される。
【０２０３】
このとき、図１５に示すように、上部ケース１４００のボタン穴１４７０には段差部１４７３が形成され、作動ボタン１８００には段差部１４７３を取り囲みながら上部ケース１４００の下部面に密着される逆段差部１８２４が形成されているため、ボタン穴１４７０を通って外部から水が侵入することを防止できる。
【０２０４】
また、図１６に示すように、作動ボタン１８００には、下部ケース１１００に備えられた制御基板の各種電子部品１２９０との干渉を防止するための干渉回避溝１８２３が形成されている。
【０２０５】
したがって、上部ケース１４００が下部ケース１１００に結合されるとき、下部ケース１１００に備えられた制御基板の各種電子部品１２９０と作動ボタン１８００との組み立て干渉なしに円滑に組み立てられる。
【０２０６】
一方、上部ケース１４００の上部面には、透視用シート１６００及び保護用シート１７００が備えられるが、このとき、透視用シート１６００と保護用シート１７００は両面テープまたは接着剤などによって備えられる。
【０２０７】
なお、上部ケース１４００の上部面縁部には、保護用シート１７００の加工過程で残存するバリ７０２（図１８参照）と干渉するのを防止するための干渉防止溝１４０２が形成されているため、保護用シート１７００が浮くのを事前に防止できる。
【０２０８】
一方、上記のように作動ボタン１８００と透視用シート１６００及び保護用シート１７００が備えられた上部ケース１４００は、下部ケース１１００の型合突起１１３０（図１７参照）が上部ケース１４００の型合溝１４３０（図１７参照）に結合されることによって下部ケース１１００に結合される。
【０２０９】
同時に、型合突起１１３０の内側面に形成された型合フック１１３１が型合溝１４３０に形成されたフック穴１４３１に係合されることで、上部ケース１４００と下部ケース１１００は堅固に固定される。
【０２１０】
また、型合溝１４３０には、型合突起１１３０の両端隅部が圧着されるシーリング部１４３０ａが形成されているため、結合時に当接する縁部から外部の水が侵入するのを防止できる。
【０２１１】
一方、ディスプレイ用基板１３００に備えられたＬＣＤセグメント１３２０（図１５参照）の上面は、上部ケース１４００の露出窓１４１０に対応して外部に露出されるように備えられる。
【０２１２】
このとき、図１５に示すように、上部ケース１４００の露出窓１４１０から露出されたＬＣＤセグメント１３２０の上面は、露出窓１４１０から外部に露出されるものの、上部ケース１４００に備えられた透視用シート１６００を通して外部から透視可能なように露出される。
【０２１３】
また、上部ケース１４００には、ボタン穴１４７０が形成され、作動ボタン１８００はボタン穴１４７０を通って外部に突出されることによって外部からの操作が可能になる。
【０２１４】
一方、図１３に示すように、下部ケース１１００と上部ケース１４００は上記のように相互結合するとともに、上部ケース１４００の締結ボス１４２０が下部ケース１１００の締結穴１１２０に当接した状態で締結ねじＳによって締め付けられる。
【０２１５】
したがって、各ケース１１００，１４００間の組み立て段差を最小化することができ、各ケース１１００，１４００の組み立てが同時に且つより容易になされるようにする。
【０２１６】
一方、図１５及び図１６に示すように、通信モデム用基板１２００とディスプレイ用モデム基板１３００はそれぞれ上・下部ケース１４００，１１００に形成された上・下部支持ボス１１８１によって上・下部ケース１４００，１１００内部で堅固に固定支持される。
【０２１７】
すなわち、ディスプレイ用基板１３００は、上部ケース１４００に形成された上部支持ボス１４８０によって支持され、通信モデム用基板１２００は、下部ケース１１００に形成された下部支持ボス１１８１によって支持される。
【０２１８】
そして、下部ケース１１００には、通信モデム用基板１２００を貫通してディスプレイ用基板１３００を支持する支持ピン１１８２がさらに備えられる。
【０２１９】
したがって、ディスプレイ用基板１３００に備えられたスイッチ１３７０が作動ボタン１８００の操作によって押下される場合、支持ピン１１８２の支持力によってディスプレイ用基板１３００が傾くのを事前に防止できる。
【０２２０】
以下、図２１を参照して、上記のように組み立てされた遠隔モニタ装置１０の設置過程について説明する。
【０２２１】
まず、遠隔モニタ装置１０を設置するためには、ハンガー１９００をボルトのような締結部材でユーザの希望する場所の壁に固定する。
【０２２２】
その後、遠隔モニタ装置１０の装着部１１９０に形成されたガイド突起１１９１をハンガー１９００の安着部１９１０に形成されたガイド溝１９１１に上下方向スライド方式で結合するだけで、遠隔モニタ装置１０がハンガー１９００によってユーザの希望する場所の壁に固定設置される。
【０２２３】
このとき、ハンガー１９００の大きさは遠隔モニタ装置１０の全体的な外観大きさよりも小さいため、使用者が正面から遠隔モニタ装置１０を見たときにハンガー１９００が見えなく、また、遠隔モニタ装置１０の上部ケース１４００上側縁部は、スクラッチ、摩耗などを防止するためにシルバークロムメッキされているため、美観がきれいである。
【０２２４】
一方、第１実施例と第２実施例において通信モデム用基板２００，１２００を遠隔モニタ装置１，１０内に備える代わりに、遠隔モニタ装置１，１０とは別に家電機器のモデムと電力線を介してデータを取り交わす外付モデムを備え、上述の本発明と同じ作用をするようにしても良い。
【０２２５】
すなわち、遠隔モニタ装置１，１０内に備えられたディスプレイ用基板３００，１３００を外付モデムと通信用ケーブルで連結して相互データを取り交わすようにした後、外付モデムでは家電機器のモデムとデータを取り交わし、ディスプレイ用基板３００，１３００ではデータを外部に表示するようにすることができる。
【０２２６】
本発明は以上の実施例に限定されるものではなく、添付の特許請求の範囲内で本発明の属する技術分野における通常の知識を持つ者によって様々に変形可能であり、それらの変形は本発明の範囲に含まれる。
【産業上の利用可能性】
【０２２７】
本発明による家電機器の遠隔モニタ装置によれば、使用者が家電機器の状態を遠隔地から容易に把握したり制御し、適切な時期に家電機器に措置を行うことができるため、家電機器の保守など効率的な管理が可能になり、さらには家電機器に扱われる洗濯物など物の管理が效率的となる等、産業上の利用可能性が著しく高い。
【図面の簡単な説明】
【０２２８】
【図１】本発明に係る遠隔モニタ装置の使用状態を概略的に示す構成図である。
【図２】本発明に係る遠隔モニタ装置の第１実施例を示す斜視図である。
【図３】図２の遠隔モニタ装置の分解された状態を示す斜視図である。
【図４】図３の外面ケースと上部ケースの底面を示す斜視図である。
【図５】図２のＩ−Ｉ線に沿って示す断面図である。
【図６】図２のII-II線に沿って示す断面図である。
【図７】図５のＡ部において上部ケースと下部ケースの分離された状態を拡大して示す断面図である。
【図８】図５のＢ部において外面ケースと上部ケースの分離された状態を拡大して示す断面図である。
【図９】作動ボタンの上面を示す斜視図である。
【図１０】作動ボタンの底面を示す斜視図である。
【図１１】本発明の第１実施例による遠隔モニタ装置がハンガーに装着される状態を示す斜視図である。
【図１２】本発明による遠隔モニタ装置の第２実施例を示す斜視図である。
【図１３】図１２の遠隔モニタ装置の分解された状態を示す斜視図である。
【図１４】図１３の外面ケースと上部ケースの底面を示す斜視図である。
【図１５】図１２のIII −III 線に沿って示す断面図である。
【図１６】図１２のIV−IV線に沿って示す断面図である。
【図１７】図１５のＣ部で上部ケースと下部ケースの分離された状態を拡大して示す断面図である。
【図１８】図１５のＤ部を拡大して示す断面図である。
【図１９】作動ボタンの上面を示す斜視図である。
【図２０】作動ボタンの底面を示す斜視図である。
【図２１】本発明の第２実施例による遠隔モニタ装置がハンガーに装着される状態を示す斜視図である。
【図１】
2008520156.tif 000003
【図２】
2008520156.tif 000004
【図３】
2008520156.tif 000005
【図４】
2008520156.tif 000006
【図５】
2008520156.tif 000007
【図６】
2008520156.tif 000008
【図７】
2008520156.tif 000009
【図８】
2008520156.tif 000010
【図９】
2008520156.tif 000011
【図１０】
2008520156.tif 000012
【図１１】
2008520156.tif 000013
【図１２】
2008520156.tif 000014
【図１３】
2008520156.tif 000015
【図１４】
2008520156.tif 000016
【図１５】
2008520156.tif 000017
【図１６】
2008520156.tif 000018
【図１７】
2008520156.tif 000019
【図１８】
2008520156.tif 000020
【図１９】
2008520156.tif 000021
【図２０】
2008520156.tif 000022
【図２１】
2008520156.tif 000023
【国際調査報告】
2008520156.tif 000024
2008520156.tif 000025
2008520156.tif 000026